(57)【特許請求の範囲】
【請求項１】
ペット用小屋を構成する底板の前端縁部と底板の両サイドに配した側面パネルの前端起立縁部とに対し、ペット用の出入口を備えた前面パネルを係合被装させ、下面周縁部に凹溝条の係合部を形成した袴板を側面パネル、裏面パネル、前面パネル相互の上端部に該係合部を介して取り付けることでペット用小屋を形成する一方、前記袴板上面に形成したパネル取付部に、ロッカー部を構成する裏面パネル、側面パネル、シャッタを取り付け、裏面パネル、側面パネル、シャッタの上端部に天井板を装着してロッカー部を形成したことを特徴とするペット用小屋付ロッカー。
【請求項２】
ペット用小屋を形成するために、両側に配設された側面パネルと、後側に配設された裏面パネルと、前記側面パネルおよび裏面パネルの下側に配設された底板とを有し、該底板の周縁部に前記側面パネルと裏面パネルの下端部が取り付けられるよう底板周囲に対し側面パネル取付部と裏面パネル取付部とを形成すると共に、前記底板の前端縁部と前記側面パネルの前端起立縁部とに対し、ペット用の出入口を備えた前面パネルを着脱可能となるように係合被装させ、前記側面パネル、裏面パネル、前面パネル相互の上端部が着脱可能に夫々取り付けられるよう下面周縁部に凹溝条の係合部を形成した袴板を有することでペット用小屋が形成され、該袴板上面の周縁部両側の側面パネル取付部に配設されたロッカー部を構成する側面パネルと、周縁部後側の裏面パネル取付部に配設されたロッカー部を構成する裏面パネルと、該側面パネル取付部の外側周縁に形成したガイド溝条部に案内されながら横方向にスライドする左右に一対のシャッタと、該シャッタの上縁部がスライド可能に係合するように下面周縁部にガイド溝条部が形成され、且つ前記側面パネル、裏面パネル相互の上端部が嵌着されるよう側面パネル取付部と裏面パネル取付部とを下面周縁部に形成した天井板とを有することでロッカー部が形成されていることを特徴としたペット用小屋付ロッカー。
【請求項３】
前記前面パネルの上端部と前記袴板の下側周縁部の前側に係合装着されるよう、一側に係合用鍔部を形成した庇体を付与した請求項１または２記載のペット用小屋付ロッカー。
【請求項４】
前記ペット用小屋は、犬小屋、猫小屋、鳥小屋、兎小屋、ハムスター小屋等のいずれかの小屋であるものとした請求項１または２記載のペット用小屋付ロッカー。
【請求項５】
ロッカー部を構成する前記天井板の上面部側に、他のロッカー部が着脱可能に連設されている請求項１または２記載のペット用小屋付ロッカー。
【請求項６】
ペット用小屋を構成する前記底板の下面部側に、他のロッカー部が着脱可能に連設されている請求項１または２記載のペット用小屋付ロッカー。
【発明の詳細な説明】
【０００１】
【発明の属する技術分野】
本発明は、主として物品も収納できるように横開きシャッタ式のホームロッカーとペット用小屋とを組み合わせたことに特徴を有するペット用小屋付ロッカーに関するものである。
【０００２】
【従来の技術】
従来、底板の上面に側面パネル、裏面パネルおよびシャッターの夫々の下端部が入り込んで取り付けられる上側嵌合溝を形成すると共に、その下面に前記同様の側面パネル、裏面パネルおよびシャッタの夫々の上端部が入り込んで取り付けられる下側嵌合溝を形成して構成され、この底板の下側にこの底板を天井側の板としてさらに前記同様の側面パネル、裏面パネルおよびシャッタを取り付けて複数段にロッカー部を積み重ねて多段式に構成したものが出願人自身が既に出願した登録実用新案第３０２０２９２号他公報に開示されている。また、従来の犬、猫、鳥、鳩、鶏、ハムスター等の小動物ペット用の小屋は、製作段階においてすでに側面パネル、裏面パネル、前面パネルが夫々皆共に底板に対して緊締部材により組み付けられているかもしくは一体にして形成されているのが殆どであった。
【０００３】
【発明が解決しようとする課題】
しかしながら、ホームロッカーとペット用小屋とを２段にして組み合わせた構成とする場合には、ホームロッカーとペット用小屋とを緊締部材により分解不可能な状態に組み付けられているかもしくは一体にして形成されているため、製造工場以外での組付け乃至分離解体作業が自由に行なえず、例えばホームロッカーとペット用小屋とを分離し、且つ前面パネル等を分離することにより、小屋内部を開放させてから内装を施したり、修理したり、小屋内部を奇麗に清掃したりすることができなかった。さらに、ホームロッカーとペット用小屋とを２段にして組み合わせた構成のままでは、移動、運搬、輸送等に非常に不便なものであった。
【０００４】
そこで本発明は、叙上のような従来存した問題点に鑑み創出されたもので、従来のホームロッカーやペット用小屋に比して、製造工場以外での構成全体の組付け乃至分離解体作業が容易となり、ホームロッカーやペット用小屋相互の使い易さ、使い勝手を向上させ、搬入時の煩わしさを無くすように改良を加えたペット用小屋付ロッカーを提供することを目的としたものである。
【０００５】
【課題を解決するための手段】
このため、本発明に係るペット用小屋付ロッカーにあっては、ペット用小屋を構成する底板の前端縁部と底板の両サイドに配した側面パネルの前端起立縁部とに対し、ペット用の出入口を備えた前面パネルを係合被装させ、下面周縁部に凹溝条の係合部を形成した袴板を側面パネル、裏面パネル、前面パネル相互の上端部に該係合部を介して取り付けることでペット用小屋を形成する一方、前記袴板上面に形成したパネル取付部に、ロッカー部を構成する裏面パネル、側面パネル、シャッタを取り付け、裏面パネル、側面パネル、シャッタの上端部に天井板を装着してロッカー部を形成したことで、上述した課題を解決した。
また、ペット用小屋を形成するために、両側に配設された側面パネルと、後側に配設された裏面パネルと、前記側面パネルおよび裏面パネルの下側に配設された底板とを有し、該底板の周縁部に前記側面パネルと裏面パネルの下端部が取り付けられるよう底板周囲に対し側面パネル取付部と裏面パネル取付部とを形成すると共に、前記底板の前端縁部と前記側面パネルの前端起立縁部とに対し、ペット用の出入口を備えた前面パネルを着脱可能となるように係合被装させ、前記側面パネル、裏面パネル、前面パネル相互の上端部が着脱可能に夫々取り付けられるよう下面周縁部に凹溝条の係合部を形成した袴板を有することでペット用小屋が形成され、該袴板上面の周縁部両側の側面パネル取付部に配設されたロッカー部を構成する側面パネルと、周縁部後側の裏面パネル取付部に配設されたロッカー部を構成する裏面パネルと、該側面パネル取付部の外側周縁に形成したガイド溝条部に案内されながら横方向にスライドする左右に一対のシャッタと、該シャッタの上縁部がスライド可能に係合するように下面周縁部にガイド溝条部が形成され、且つ前記側面パネル、裏面パネル相互の上端部が嵌着されるよう側面パネル取付部と裏面パネル取付部とを下面周縁部に形成した天井板とを有することでロッカー部が形成されていることで、同じく上述した課題を解決した。
そして、前記前面パネルの上端部と前記袴板の下側周縁部の前側に係合装着されるよう、一側に係合用鍔部を形成した庇体を付与したことにより、同じく上述した課題を解決した。
さらに、前記ペット用小屋は、犬小屋、猫小屋、鳥小屋、兎小屋、ハムスター小屋等のいずれかの小屋であるものとしたことにより、同じく上述した課題を解決した。
また、ロッカー部を構成する前記天井板の上面部側に、他のロッカー部が着脱可能に連設されていることにより、同じく上述した課題を解決した。
加えて、ペット用小屋を構成する前記底板の下面部側に、他のロッカー部が着脱可能に連設されていることにより、同じく上述した課題を解決した。
【０００６】
本発明に係るペット用小屋付ロッカーにあって、ペット用小屋側とロッカー側とを接続するための袴板は、該袴板の下面周縁部に設けた凹溝条の係合部を介して、下段のペット用小屋側の側面パネル、裏面パネル、前面パネル相互の上端部を着脱可能となるように取り付けられると共に、ペット用小屋側とロッカー側との分離も可能とさせ、何等の緊締部材を要せずしてペット用小屋側とロッカー側との組付け乃至分離解体作業をワンタッチで且つ容易なものとさせる。特に、従来のように緊締部材を利用することで、ペット用小屋側とロッカー側との間の緊締部材を介しての取り付けに対する位置決め精度を確保しなければならないというような煩雑な製造工程が削減される。さらに、袴板は、予め底板に組み付けられた側面パネル、裏面パネル、前面パネル相互の上端部に着脱可能に係合被装されるため、前記各パネル相互の分離容易なことに相俟って、容易に小屋内部を開放させることができ、内装を施したり、修理したり、小屋内部を奇麗に清掃したりすることを可能にさせる。また、天井板の上面部側または前記底板の下面部側のいづれかには、ロッカー部が着脱可能に連設されることで、ロッカー部やペット用小屋相互の使い易さ、使い勝手を向上させ、搬入時の煩わしさを解消させる。そして、一側に係合用鍔部を形成した庇体は、該係合用鍔部を前記前面パネルの上端部と共に前記袴板の下側周縁部の凹溝条の係合部を介して、前側に容易に係合装着され、庇体自身の分離も可能とさせる。また、ペット用小屋は、犬小屋、猫小屋、鳥小屋、兎小屋、ハムスター小屋等のいずれかの小屋であるものとしたことで、ペット用小屋付ロッカーに対する各種のバリエーションを付与させる。
【０００７】
【発明の実施の形態】
以下、図面を参照して本発明の実施の形態を説明するに、図１乃至図４において示される符号１は、各種物品を収納できるようにした横開きシャッタ構造のロッカー部と、例えば犬、猫、鳥、鳩、鶏、ハムスター等の小動物ペットを収容させるペット用小屋とを組み合わせたペット用小屋付ロッカーであり、該ペット用小屋付ロッカー１は、図１に示すように、プラスチック製の材料により、実質的にはペット用小屋４の天井板を構成する袴板２を介して上段のロッカー部３と下段のペット用小屋４とに例えば２段に積み重ねて構成されてある。尚、このペット用小屋付ロッカー１は、ロッカー部３を下段とし、ペット用小屋４を上段として構成しても良く、この場合には後述するロッカー部３の天井板５が袴板を構成する。また、本実施の形態においてはロッカー部３とペット用小屋４との２段式構造によるものとしているが、２段以上の複数段にロッカー部３とペット用小屋４とを積み重ねて構成しても良いことは勿論である。そして、上段のロッカー部３は、上側を覆う天井板５と、両側に配設された側面パネル６と、後側に配設された裏面パネル７と、側面パネル６および裏面パネル７の下側に配設されて底板を構成する袴板２と、前面にスライド可能に取り付けられ閉塞状態で前面壁を構成すると共に一方または両方にスライドさせることで開閉し得る単体または一対のシャッタ８とを備えている。
【０００８】
一方、ペット用小屋４は、図２に示すように、上側を覆う天井板を形成する袴板２と、両側に配設された側面パネル９と、後側に配設された裏面パネル１０と、前記側面パネル９および裏面パネル１０の下側に配設された底板１１とにより構成されていて、該底板１１の周縁部には前記側面パネル９と裏面パネル１０の下端部が取り付けられるよう側面パネル取付部１１Ａと裏面パネル取付部１１Ｂとが形成されている。そして、前記底板１１の前端縁部側と前記側面パネル９の前端起立縁部とに対し、出入口１４を備えた前面パネル１５を容易に装着乃至脱去できるように係合被装させてある。また、図４に示すように、前記袴板２の下面周縁部には凹溝条の係合部２Ａが形成されており、予め底板１１に組み付けられた側面パネル９および裏面パネル１０と、後述する前面パネル１５相互の上端部を着脱可能となるように該係合部２Ａに係着した状態で袴板２が被装されている。またこのとき、一側に係合用鍔部１６Ａを突設した庇体１６を前記前面パネル１５の上端部と共に前記袴板２の下側周縁部の前側に係合装着させてある。そして、側面パネル９および裏面パネル１０の底板１１への取付部周囲に対し溝底部に間隔をおいて複数の水切り穴を有する環状の水切用溝条部を形成してある。
【０００９】
そして、図３に示すように、前記袴板２の上面の周縁部両側には、ロッカー部３側の側面パネル６を取り付けるための側面パネル取付部２Ｂと、周縁部後側にて裏面パネル７を取り付けるための裏面パネル取付部２Ｃが配設されており、さらに側面パネル取付部２Ｂの外側周縁に沿ってガイド溝条部２Ｄを形成し、前記シャッタ８が該ガイド溝条部２Ｄに係合案内されながら横方向にスライドするようにしてある。さらに、袴板２のガイド溝条部２Ｄに対向して前記天井部５の下面周縁部にはガイド溝条部５Ａが形成され、且つロッカー部３の側面パネル６、裏面パネル７相互の上端部が嵌着されるよう側面パネル取付部５Ｂと裏面パネル取付部５Ｃとを下面周縁部に形成してある。また、前記前面パネル１５には、出入口１４に隣接して格子状のスリット窓１７を設けてある。
【００１０】
次に、本発明の組立手順の一例を説明するに、図２に示すように、先ず底板１１に裏面パネル１０と側面パネル９とを取り付けておき、底板の前端縁部と前記側面パネルの前端起立縁部とに対し、出入口１４を備えた前面パネル１５を被装させる。次いで、図３に示すように、袴板２を介して上段にロッカー部３を取り付ければ良い。このとき、図４に示すように、下面周縁部に凹溝条の係合部２Ａを形成した袴板２を前記側面パネル９、裏面パネル１０、前面パネル１５相互の上端部に該係合部２Ａを介して取り付ける一方、前記袴板２上面の周縁部両側に形成した側面パネル取付部２Ｂにロッカー部３側の側面パネル６を取り付け、且つ前記袴板２上面の周縁部後側に形成した裏面パネル取付部２Ｃに裏面パネル７を取り付け、該側面パネル取付部２Ｂの外側周縁に形成したガイド溝条部２Ｄに左右にスライドする一対のシャッタ８を装着すると共に、該シャッタ８の上端部が天井部５の下面周縁部に形成したガイド溝条部５Ａにスライド可能に嵌挿されながら、前記天井部５の下面周縁部に形成した側面パネル取付部５Ｂと裏面パネル取付部５Ｃを介して前記側面パネル６、裏面パネル７相互の上端部に該天井板５を嵌着させることによりペット用小屋付ロッカー本体が形成される。
【００１１】
あるいは、先ず底板１１の周縁部に側面パネル９と裏面パネル１０の下端部を取り付け、前記底板１１の前端縁部と前記側面パネル９の前端起立縁部とに対し、出入口１４を備えた前面パネル１５を係合被装させておき、一方、袴板２の上面の周縁部両側に形成した側面パネル取付部２Ｂにロッカー部３側の側面パネル６を取り付け、且つ袴板２上面の周縁部後側に形成した裏面パネル取付部２Ｃに裏面パネル７を取り付け、該側面パネル取付部２Ｂの外側周縁に形成したガイド溝条部２Ｄに左右にスライドする一対のシャッタ８を装着すると共に、該シャッタ８の上端部が天井部５の下面周縁部に形成したガイド溝条部５Ａにスライド可能に嵌挿されながら、前記天井部５の下面周縁部に形成した側面パネル取付部５Ｂと裏面パネル取付部５Ｃを介して前記側面パネル６、裏面パネル７相互の上端部に該天井板５を嵌着させた後、前記袴板２の下面周縁部の前記係合部２Ａを前記ペット用小屋４側の側面パネル９、裏面パネル１０、前面パネル１５相互の上端部に係合させてペット用小屋付ロッカー本体を形成しても良い。
【００１２】
【発明の効果】
本発明は以上のように構成されており、従来のホームロッカーやペット用小屋に比して、製造工場以外での組付け乃至分離解体作業が容易となり、ホームロッカーやペット用小屋相互の使い易さ、使い勝手を向上させ、搬入時の煩わしさを解消することができる。
【００１３】
また、ペット用小屋側とロッカー側とを接続するための袴板は、該袴板の下面周縁部に設けた凹溝条の係合部を介して、下段のペット用小屋側の側面パネル、裏面パネル、前面パネル相互の上端部を着脱可能となるように取り付けられると共に、ペット用小屋側とロッカー側との分離も可能とさせ、何等の緊締部材を要せずしてペット用小屋側とロッカー側との組付け乃至分離解体作業をワンタッチで且つ容易なものとさせる。特に、従来のように緊締部材を利用することで、ペット用小屋側とロッカー側との間の緊締部材を介しての取り付けに対する位置決め精度を確保しなければならないというような煩雑な製造工程が削減される。
【００１４】
さらに、袴板は、予め底板に組み付けられた側面パネル、裏面パネル、前面パネル相互の上端部に着脱可能に係合被装されるため、前記各パネル相互の分離容易なことに相俟って、容易に小屋内部を開放させることができ、内装を施したり、修理したり、小屋内部を奇麗に清掃したりすることができる。
【００１５】
また、天井板の上面部側または前記底板の下面部側のいづれかには、ロッカー部が着脱可能に連設されることで、ロッカー部やペット用小屋相互の使い易さ、使い勝手を向上でき、搬入時の煩わしさを解消することができる。
【００１６】
そして、一側に係合用鍔部を形成した庇体は、該係合用鍔部を前記前面パネルの上端部と共に前記袴板の下側周縁部の凹溝条の係合部を介して、前面パネル前側に容易に係合装着できると共に、庇体自身の分離も容易に行なえる。
【００１７】
また、ペット用小屋は、犬小屋、猫小屋、鳥小屋、兎小屋、ハムスター小屋等のいずれかの小屋であるものとしたことで、ペット用小屋付ロッカーに対し各種のバリエーションを付与することができる。
【図面の簡単な説明】
【図１】本発明の実施の形態を示したペット用小屋付ロッカーの斜視図である。
【図２】同じくペット用小屋付ロッカーの分解斜視図である。
【図３】同じくロッカー部の組み付け方法を説明する一部分解斜視図であり、（ａ）は取付前の状態、（ｂ）は取付後の状態を示す。
【図４】同じくロッカー部の取付け方法を小屋側から見た場合を示す一部拡大斜視図である。
【符号の説明】
１…ペット用小屋付ロッカー          ２…袴板
３…ロッカー部                      ４…ペット用小屋
５…天井板                          ６…側面パネル
７…裏面パネル                      ８…シャッタ
９…側面パネル                      １０…裏面パネル
１１…底板                          １５…前面パネル
１７…スリット窓
【図１】
0003819135.tif 000002
【図２】
0003819135.tif 000003
【図３】
0003819135.tif 000004
【図４】
0003819135.tif 000005